(57)【要約】【課題】製氷装置において製氷皿と氷貯蔵容器が着脱可能であり、製氷装置を冷凍室、冷蔵室内の任意の場所に設置可能であるため、溢水を防ぎながら、急速製氷を可能にする製氷装置を提供するものである。【解決手段】氷を製氷する製氷部と、前記製氷部の内部に設けられた製氷皿と、前記製氷皿を軸支する軸支持部と、上方に開口部が設けられるとともに前記製氷部の下方に設置され製氷された氷を貯蔵する氷貯蔵部と、を備え、前記製氷部は前記氷貯蔵部と着脱自在に係合するとともに、前記製氷部と前記氷貯蔵部とは係合状態で移動可能とした。【選択図】図１
2013221692.tif 000002
【特許請求の範囲】
【請求項１】
氷を製氷する製氷部と、前記製氷部の内部に設けられた製氷皿と、前記製氷皿を軸支する軸支持部と、上方に開口部が設けられるとともに前記製氷部の下方に設置され製氷された氷を貯蔵する氷貯蔵部と、を備え、前記製氷部は前記氷貯蔵部と着脱自在に係合するとともに、前記製氷部と前記氷貯蔵部とは係合状態で移動可能としたことを特徴とする製氷装置。
【請求項２】
前記製氷部は少なくとも２つ以上の突起部を有し、前記突起部は製氷皿が水平方向に保たれた状態において、前記製氷皿の下端よりも下方に延出していることを特徴とする請求項１に記載の製氷装置。
【請求項３】
前記製氷部は前記軸支持部を回転する軸回転部を設けた氷移送装置を備えていることを特徴とする請求項１または２に記載の製氷装置。
【請求項４】
前記軸回転部は中央に突起部を有することを特徴とする請求項２または３に記載の製氷装置。
【請求項５】
前記製氷皿は貯水部の皿底面形状が四角形、八角形、曲線形状を有する請求項１〜４のいずれか一項に記載の製氷装置。
【請求項６】
請求項１から５のいずれか一項に記載の製氷装置を備えたことを特徴とする冷蔵庫。
【発明の詳細な説明】
【技術分野】
【０００１】
本発明は家庭用電気冷蔵庫等に搭載される製氷装置及び冷蔵庫に関するものである。
【背景技術】
【０００２】
従来、家庭用電気冷蔵庫に搭載されている製氷装置は給水によって供給された水を製氷皿に貯留して製氷し、製氷後に駆動機構により製氷皿を回動させて上下反転させることにより離氷させて氷を貯蔵容器に貯留し、この後、再び製氷皿へ給水して製氷するという動作を繰り返すようにしたものが供されている。
【０００３】
図１２は従来の冷蔵庫を示すものである。図１２に示すように冷蔵庫本体１００は、冷蔵室１０１、製氷皿１０２、氷貯蔵容器１０３、製氷皿凹部１０４、製氷室１０７、給水タンク１０８、給水ポンプ１０９から構成される。
【０００４】
ここで、給水タンク１０８は冷蔵室１０１内に設置され、給水タンク１０８に給水する際には冷蔵室１０１から給水タンク１０８を取り出し、水道水を注入する。そして、給水タンク１０８内の水道水は給水ポンプ１０９によって製氷皿１０２に送られ、製氷室１０７内の冷却作用によって凍結させられる。そして、製氷皿１０２にて製氷が完了した場合には、駆動装置によって製氷皿１０２を回転させ、捻って離氷するとともに製氷皿１０２から落下した氷は氷貯蔵容器１０３に保存するものであった。また、製氷皿１０２は製氷室１０７内に固定されている構造であった。
【先行技術文献】
【特許文献】
【０００５】
【特許文献１】特開平３−２１３９７４号公報
【発明の概要】
【発明が解決しようとする課題】
【０００６】
しかしながら、前記従来の構成では、製氷皿１０２が固定されているために、冷気吐出口と製氷皿１０２間の距離は一定であるため、製氷皿１０２を冷凍室内の任意の位置に設置することが不可能であるという課題を有していた。また、製氷室１０７内で氷貯蔵容器１０３の上部に空間が存在し効率的に庫内空間を使用できず、また氷への臭い移りが発生するという課題を有していた。
【課題を解決するための手段】
【０００７】
前記従来の課題を解決するために、本発明の製氷装置は氷を製氷する製氷部と、製氷部の内部に設けられた製氷皿と、製氷皿を軸支する軸支持部と、上方に開口部が設けられるとともに製氷部の下方に設置され製氷された氷を貯蔵する氷貯蔵部と、を備え、製氷部は氷貯蔵部と着脱自在に係合するとともに、製氷部と氷貯蔵部とは係合状態で移動可能としたとしたものである。
【０００８】
これにより、製氷装置を冷凍室、冷蔵室内の任意の場所に設置可能であり、例えば、製氷装置を冷凍室冷風吐出口前に設置の場合は急速製氷が可能であるなど、希望する状況に合わせて使用することができる。さらに氷貯蔵容器の上方を製氷部で覆うため、冷風が直接氷に当たるのを防ぎ、氷への臭い移りを防止することができる製氷装置を提供するものである。
【発明の効果】
【０００９】
本発明の製氷装置は、製氷装置を冷凍室、冷蔵室内の任意の場所に設置可能であり、さらに前記製氷装置を冷凍室冷風吐出口前に設置の場合は急速製氷が可能である。さらに氷貯蔵容器の上方を製氷装置で覆うため、冷風が直接氷に当たるのを防ぎ、氷への臭い移りを防止することを提供することができる。
【図面の簡単な説明】
【００１０】
【図１】本発明の実施の形態１における製氷装置の概略斜視図
【図２】本発明の実施の形態１における製氷装置の概略斜視図
【図３】本発明の実施の形態１における製氷装置付き冷蔵庫の冷凍室の概略断面図
【図４】本発明の実施の形態１における製氷装置付き冷蔵庫の冷凍室の概略断面図
【図５】本発明の実施の形態２における製氷部と氷貯蔵部を脱離した際の概略斜視図
【図６】本発明の実施の形態２における製氷装置付き冷蔵庫の冷凍室の概略断面図
【図７】本発明の実施の形態３における製氷装置の概略斜視図
【図８】本発明の実施の形態３における製氷部と氷貯蔵部を脱離した際の概略斜視図
【図９】本発明の実施の形態３における製氷装置の概略正面図
【図１０】本発明の実施の形態３における製氷部と氷貯蔵部を脱離した際の概略斜視図
【図１１】本発明の実施の形態４における製氷部の概略説明図
【図１２】従来例における製氷装置付き冷蔵庫の概略側断面図
【発明を実施するための形態】
【００１１】
第一の発明は、氷を製氷する製氷部と、製氷部の内部に設けられた製氷皿と、製氷皿を軸支する軸支持部と、上方に開口部が設けられるとともに製氷部の下方に設置され製氷された氷を貯蔵する氷貯蔵部と、を備え、製氷部は氷貯蔵部と着脱自在に係合するとともに、製氷部と氷貯蔵部とは係合状態で移動可能としたことを特徴とするものである。
【００１２】
これにより、製氷装置を冷凍室、冷蔵室内の任意の場所に設置可能であり、例えば、冷凍室冷風吐出口前に設置した場合には急速製氷が可能である。さらに氷貯蔵容器の上方を製氷装置で覆うため、冷風が直接氷に当たるのを防ぎ、氷への臭い移りを防止することを提供することができる。
【００１３】
第二の発明は、第一の発明において、製氷部は少なくとも２つ以上の突起部を有し、突起部は製氷皿が水平方向に保たれた状態において、製氷皿の下端よりも下方に延出しているものである。
【００１４】
これにより、製氷部のみで自立可能であるため、氷貯蔵容器を用いない場合には冷凍室内の空間をより広く効率的に用いることができる。
【００１５】
第三の発明は、第一または二の発明において、製氷部は軸支持部を回転する軸回転部を設けた氷移送装置を備えていることを特徴とするものである。
【００１６】
これにより、製氷皿を持ち上げるなどをせずに氷を製氷皿から氷貯蔵容器へとスムーズに離氷することができる。
【００１７】
第四の発明は、第二または第三の発明において、軸回転部は中央に突起部を有するものである。
【００１８】
これにより、軸回転部のツイスト機能を効率的に発揮させることができ、使い勝手が向上するものである。
【００１９】
第五の発明は、第一から第四のいずれかの発明において、製氷皿は貯水部の皿底面形状が四角形、八角形、曲線形状を有するものである。
【００２０】
これにより、近年の氷形状への消費者嗜好に合わせた氷を提供することができるとともに、離氷がし易くなるという効果を奏するものである。
【００２１】
以下、本発明の実施の形態について、図面を参照しながら説明する。なお、この実施の形態によって本発明が限定されるものではない。
【００２２】
（実施の形態１）
図１は本実施の形態における製氷装置の概略斜視図、図２は本実施の形態における製氷装置の着脱した状態における概略斜視図、図３は本実施の形態における製氷装置付き冷蔵庫の冷凍室の概略断面図、図４は本実施の形態における製氷装置付き冷蔵庫の冷凍室の概略断面図を示すものである。
【００２３】
図１において、製氷装置は製氷部１と氷貯蔵部３から構成されており、製氷部１と製氷ケースフレーム２と軸支持部１３で軸支された製氷皿４から構成され、氷貯蔵部３は氷貯蔵容器から構成されている。また、図２に示すように、製氷部１と氷貯蔵部３とは、着脱自在に係合されるようになっており、係合された状態で移動可能となっている。図３または図４に示すように、製氷装置８は冷凍室５内に収納されるが、冷凍室キャビネット６、冷凍室棚７または冷凍室冷気吐出口９の関係から庫内状況や使用条件等に基づいて任意の場所に配置することが可能となる。
【００２４】
以上のように構成された製氷装置について、以下その動作、作用を説明する。
【００２５】
まず、製氷皿４に水の給水を行い、製氷部１のみ、あるいは製氷部１と氷貯蔵部３全体を含む製氷装置を冷蔵庫の冷凍室５内に収納する。冷凍室５内の冷凍室冷気吐出口９の高さは製氷装置８の高さ寸法と合わせて設計されており、製氷装置８を図２のような位置に設置した場合には氷貯蔵部３に製氷した氷を保温しやすく、図３のような位置に製氷装置８を設置した場合には製氷皿４と冷凍室冷気吐出口９の距離を近づけることが可能で、急速製氷が可能となる。製氷完了後は軸支持部１３で支持されている製氷皿４を捻り、製造した製氷皿４上の氷を氷貯蔵部３へと移送し、氷を氷貯蔵部３内に保管することができる。
【００２６】
このように、製氷部１は氷貯蔵部３とは着脱自在に係合するとともに、製氷部１と氷貯蔵部３とは係合状態で移動可能としたことにより、製氷装置を冷凍室、冷蔵室内の任意の場所に設置可能であり、例えば、冷凍室冷風吐出口前に設置した場合には急速製氷が可能である。さらに、氷貯蔵部３の上方を製氷部１で覆うため、冷風が直接氷に当たるのを防ぎ、氷への臭い移りを防止することを提供することができる。
【００２７】
なお、上述した製氷装置を備えた冷蔵庫とすることにより、庫内空間を効率的に使用できるとともに、状況に合わせて氷を急速に作れるなどの特有の効果を奏する冷蔵庫を実現することができる。
【００２８】
（実施の形態２）
図５は本実施の形態における製氷部１と氷貯蔵部３を脱離した際の概略斜視図であり、図６は、本発明の第２の実施の形態における製氷部１を冷凍室に設置した概略断面図である。
【００２９】
実施の形態１で述べたように製氷部１と氷貯蔵部３とは着脱自在に構成されるものであ
るが、図５に示すように、製氷部１は前方突起部１４と後方突起部１５とを設けたものである。これらの２つの突起部により、製氷部１のみで転倒することなく、自立可能としたものである。図６に示すように、冷凍室内に製氷部１のみを設置することができ、この場合には冷凍室冷気吐出口９近くに製氷部１を設置することが可能で、急速製氷を行うことができる。また、製氷部１のみを冷凍室内に設置可能であることから、状況に合わせて冷凍室空間を他の用途に使用可能となる。
【００３０】
なお、本実施の形態では突起部は前方と後方とに設けたが、製氷皿の下端よりも下方に延出する突起部であって、製氷部１を自立させることができるものであれば、製氷部１の左右方向であっても対角方向であっても構わない。
【００３１】
このように、製氷部１は少なくとも２つ以上の突起部を有し、突起部は製氷皿４が水平方向に保たれた状態において、製氷皿の下端よりも下方に延出しているものであることにより、製氷部１のみで自立可能であるため、氷貯蔵部３を用いない場合には冷凍室内の空間をより広く効率的に用いることができる。
【００３２】
（実施の形態３）
図７は本実施の形態における製氷装置の概略断面図であり、図８は本実施の形態における製氷装置の着脱した状態における概略斜視図であり、図９は本実施の形態における氷移送を示す図であり、図１０は本実施の形態における製氷部１と氷貯蔵部３を脱離した際の概略斜視図である。
【００３３】
実施の形態１および２と異なる点は、氷移送手段として製氷部１内にツイストダイヤル１６を設けた点である。ツイストダイヤル１６は、中央部に突起部を設けられたものであるが、図７に示すように製氷皿４ごとに備えられる。また、ツイストダイヤル１６が設けられた製氷部１は、図８に示すように氷貯蔵部３と着脱自在に設けられるものでもある。そして、氷移送時には、図９に示すように、例えば、正面方向からみて時計周りに捻ることで、製氷皿４が反転し、製氷後の氷１１を氷貯蔵部３に確実に移送することができる。このとき、製氷部１と氷貯蔵部３とを着脱しない状態で製氷部１から氷貯蔵部３へ氷を移送することができるため、衛生面で優れた効果を奏するものである。
【００３４】
このように、前記軸回転部は中央に突起部を有するようにし、また製氷部１は軸支持部を回転する軸回転部を設けた氷移送装置を備えていることにより、軸支持部１３のツイスト機能を効率的に発揮させることができ、使い勝手が向上するものであり、製氷皿４を持ち上げるなどをせずに氷を製氷皿から氷貯蔵容器へとスムーズに離氷することができる。
【００３５】
なお、本実施の形態では氷移送手段であるツイストダイヤル１６は２つ設けたが、製氷皿４の数に合わせて増減させても良い。また、ツイストダイヤル１６に設けられた突起部を製氷皿４と平行に設けることで、ツイストダイヤル１６と製氷皿４とが連動した動きとなり、使い勝手が向上するものである。
【００３６】
また、図１０に示すように、実施の形態２と同様に、製氷部１に少なくとも２つの突起を設け自立するようにしてもよい。このようにすることで、氷貯蔵部３を用いない場合には冷凍室内の空間をより広く効率的に用いることができる。
【００３７】
（実施の形態４）
図１１は本発明の第５の実施の形態における製氷装置の概略説明図である。
【００３８】
図１１に示すように、製氷皿４の底面である製氷皿凹部１２の形状を曲面形状、八角形形状としたものである。これにより、一般的である四角形形状以外の面を一部に有する氷
を製造することができ、近年の消費者嗜好に合わせた氷を提供することができる。また、製氷皿４を反転させたときに、離氷がし易くなるという効果も奏する。なお、本実施の形態では、３種類の形状を同一の製氷皿４に設けた例を示したが、曲面形状のみとしても良いし、八角形の形状のみとしても良いのはいうまでもない。
【産業上の利用可能性】
【００３９】
本発明に製氷装置は、家庭用の冷凍冷蔵庫もしくは業務用の冷凍冷蔵庫において適用することができる。
【符号の説明】
【００４０】
１  製氷部
２  製氷ケースフレーム
３  氷貯蔵部
５  冷凍室
６  冷凍室キャビネット
７  冷凍室棚
８  製氷装置
９  冷凍室冷気吐出口
１１  製氷後の氷
１３  軸支持部
１４  前方突起部
１５  後方突起部
１６  ツイストダイヤル
【図１】
2013221692.tif 000003
【図２】
2013221692.tif 000004
【図３】
2013221692.tif 000005
【図４】
2013221692.tif 000006
【図５】
2013221692.tif 000007
【図６】
2013221692.tif 000008
【図７】
2013221692.tif 000009
【図８】
2013221692.tif 000010
【図９】
2013221692.tif 000011
【図１０】
2013221692.tif 000012
【図１１】
2013221692.tif 000013
【図１２】
2013221692.tif 000014